(57)【要約】【課題】  サイディング施工作業を省力化することができ、安全で、サイディング材を傷つけるおそれが少ない外壁取付施工具を提供する。【解決手段】外壁取付施工具は、サイディング材の上端に当接する第一当接板と、前記サイディング材の屋内面側の前記第一当接板の端部から前記サイディング材の下端方向に突出する第一掛止部と、を有する第一爪部と、前記サイディング材の下端に当接する第二当接板と、前記サイディング材の裏面側の前記第二当接板の端部から前記サイディング材の上端方向に突出する第二掛止部と、を有する第二爪部と、前記第一爪部と前記第二爪部とを所定の範囲で接近方向及び離間方向に移動させる操作部とを備える。【選択図】図１
2018009310.tif 000002
【特許請求の範囲】
【請求項１】
サイディング材の上端に当接する第一当接板と、前記サイディング材の屋内面側の前記第一当接板の端部から前記サイディング材の下端方向に突出する第一掛止部と、を有する第一爪部と、
前記サイディング材の下端に当接する第二当接板と、前記サイディング材の裏面側の前記第二当接板の端部から前記サイディング材の上端方向に突出する第二掛止部と、を有する第二爪部と、
前記第一爪部と前記第二爪部との間の距離が前記サイディング材の高さ方向の長さより長い位置から短い位置までの範囲で、当該第一爪部及び当該第二爪部を接近方向及び離間方向に移動させる操作部とを備えることを特徴とする外壁取付施工具。
【請求項２】
前記操作部は、
一端が前記第一爪部に連結される第一操作片と、
前記第一操作片の他端に固定され、作業者が把持する第一操作グリップと、
一端が前記第二爪部に連結される第二操作片と、
前記第二操作片の他端に固定され、作業者が把持する第二操作グリップと、
前記第一操作片及び前記第二操作片の中間部を互いに揺動可能に接続する軸部と、を有することを特徴とする請求項１に記載の外壁取付施工具。
【請求項３】
前記第一当接部が前記サイディング材の上端に当接し、前記第二当接部が前記サイディング材の下端に当接するときに、前記第一操作グリップ及び前記第二操作グリップが、互いに当接することを特徴とする請求項２に記載の外壁取付施工具。
【請求項４】
前記第一爪部よりも上方で、且つ、前記サイディング材が保持される位置よりも屋外側に作業者が把持する支持グリップが形成されることを特徴とする請求項３に記載の外壁取付施工具。
【請求項５】
前記サイディング材は、上端の屋内面側が上方に突出する上端突出部を形成するとともに、下端の屋外面側が下方に突出して下端突出部を形成しており、前記上端突出部と前記下端突出部とが互いに重なり合う収まりであり、
前記第一当接板の前記サイディング材の厚さ方向の長さは、前記サイディング材の厚さよりも長く、
前記第二当接板の前記サイディング材の厚さ方向の長さは、前記サイディング材の厚さよりも短く、且つ前記下端突出部の厚さよりも長いことを特徴とする請求項１から請求項４のいずれかに記載の外壁取付施工具。
【発明の詳細な説明】
【技術分野】
【０００１】
本発明は、建築物の外装材としてのサイディング材を下地材の屋外側に取り付ける外壁取付施工具に関する。
【背景技術】
【０００２】
従来より、建築物の外装材として高さ方向の長さが例えば３００ｍｍ程度のサイディング材を上下に複数並べて１つの階の外壁面を形成することが知られている。このようなサイディング材は、例えば特許文献１に記載のように、上端の屋内面側が上方に突出する上端突出部を形成するとともに、下端の屋外面側が下方に突出して下端突出部を形成しており、相じゃくりのように、前記上端突出部と前記下端突出部とが互いに重なり合う収まりとすることで、横目地部の雨仕舞を良くしている。
【０００３】
このような、サイディング材を用いる場合には、下から順にサイディング材を下地材に取り付けていく。このとき、サイディング材は取付金具によって下地材に取り付けている。取付金具としては、下地材に固定されるベースプレートから水平方向に突出し、その先端が上下それぞれの傾斜片に枝分かれして形成されている取付金具が開示されており、上向きの傾斜片が、サイディング材の下端の厚さ方向の中央に形成された係止溝に挿入されて、サイディング材の下端を受けるとともに、下向きの傾斜片がサイディング材の上端突出部を挟持して、サイディング材を下地材に取り付けている。
【０００４】
ところで、このようなサイディング材は、作業者が一方の手で上端を、他方の手で下端を把持して持ち運びすることが一般的であるが、サイディングの施工作業中にサイディング材を保持する治具として、特許文献２のようなものが開示されている。特許文献２の治具は、サイディング材の下端に引っ掛かるつめと、サイディング材の一方の面に当接する保持板と、保持板のサイディング材と当接する面と逆の面から突出する握り棒を有しており、サイディング材を引き上げるときに作業者の力が入りやすいとするものである。
【先行技術文献】
【特許文献】
【０００５】
【特許文献１】特開平１０−１４８０２４号公報
【特許文献２】実開平７−３５６４３号公報
【発明の概要】
【発明が解決しようとする課題】
【０００６】
しかし、特許文献１のような複数のサイディング材を上下に並べて外壁面を形成する工程において、作業者が手でサイディング材の下端を把持して、下地材にサイディング材を取り付ける場合、すでに取り付けられている下側のサイディング材の上端突出部の屋外側に、新たに取り付けるサイディング材の下端が配置されるので、作業者はサイディング材の下端の下側突出部の先端のみに指先を掛けてサイディング材を保持する必要がある。
【０００７】
したがって、サイディング材の重量を指先のみで支える必要があり重労働となるとともに、作業手袋が下側のサイディング材と新たに取り付けるサイディング材の間に挟まって作業性や施工精度を低下させることがあり、また、サイディング材が指先から滑り落ちて破損するおそれや、サイディング材の間に指を挟む危険もある。
【０００８】
また、特許文献２のような治具は、サイディング材の下端のみに引っ掛けられているので、サイディング材の上端が安定せず、サイディング材を取り落とす危険がある。また、特許文献２は、下端がほぼ平らなサイディング材を保持する治具であることから、上下で重なりあう部分を有するサイディング材の取付に用いることはできない。
【０００９】
そこで、本発明は、サイディング施工作業を省力化することができ、安全で、サイディング材を傷つけるおそれが少ない外壁取付施工具を提供することを目的とする。
【課題を解決するための手段】
【００１０】
本発明の第１の外壁取付施工具は、サイディング材の上端に当接する第一当接板と、前記サイディング材の屋内面側の前記第一当接板の端部から前記サイディング材の下端方向に突出する第一掛止部と、を有する第一爪部と、前記サイディング材の下端に当接する第二当接板と、前記サイディング材の裏面側の前記第二当接板の端部から前記サイディング材の上端方向に突出する第二掛止部と、を有する第二爪部と、前記第一爪部と前記第二爪部とを所定の範囲で接近方向及び離間方向に移動させる操作部とを備えることを特徴としている。
【００１１】
第２の外壁取付施工具は、前記操作部は、一端が前記第一爪部に連結される第一操作片と、前記第一操作片の他端に固定され、作業者が把持する第一操作グリップと、一端が前記第二爪部に連結される第二操作片と、前記第二操作片の他端に固定され、作業者が把持する第二操作グリップと、前記第一操作片及び前記第二操作片の中間部を互いに揺動可能に接続する軸部と、を有することを特徴としている。
【００１２】
第３の外壁取付施工具は、前記第一当接部が前記サイディング材の上端に当接し、前記第二当接部が前記サイディング材の下端に当接するときに、前記第一操作グリップ及び前記第二操作グリップが、互いに当接することを特徴としている。
【００１３】
第４の外壁取付施工具は、前記第一爪部よりも上方で、且つ、前記サイディング材が保持される位置よりも屋外側に作業者が把持する支持グリップが形成されることを特徴としている。
【００１４】
第５の外壁取付施工具は、上端の屋内面側が上方に突出する上端突出部を形成するとともに、下端の屋外面側が下方に突出して下端突出部を形成しており、前記上端突出部と前記下端突出部とが互いに重なり合う収まりの外壁取付施工具であって、前記第一当接板の前記サイディング材の厚さ方向の長さは、前記サイディング材の厚さよりも長く、前記第二当接板の前記サイディング材の厚さ方向の長さは、前記サイディング材の厚さよりも短く、且つ前記下端突出部の厚さよりも長いことを特徴としている。
【発明の効果】
【００１５】
本発明の第１の外壁取付施工具によると、操作部の操作によって、第一爪部と第二爪部との間の距離がサイディング材の高さ方向の長さより長い位置から短い位置までの範囲で、第一爪部及び第二爪部を接近方向及び離間方向に移動させるので、離間方向に移動させた状態で第一爪部と第二爪部との間にサイディング材を配置し、その後接近方向に移動させることで第一爪部の当接板と第二爪部の当接板とでサイディング材を確実に挟持することができ、このとき第一掛止部と第二掛止部との間の長さがサイディング材の長さよりも短くなるのでサイディング材を確実に保持することができる。そして、サイディング材を取り付ける位置に固定した後は、操作部を操作して第一爪部と第二爪部とを互いに離間する方向に移動させることで、簡単にサイディング材から外壁取付施工具を外すことができる。
【００１６】
第２の外壁取付施工具によると、一端が第一爪部に連結される第一操作片と、第一操作片の他端に固定され、作業者が把持する第一操作グリップと、一端が第二爪部に連結される第二操作片と、第二操作片の他端に固定され、作業者が把持する第二操作グリップと、第一操作片及び第二操作片の中間部を互いに揺動可能に接続する軸部と、を有しているので、第一操作グリップと第二操作グリップとを互いに接近する方向に移動させることで、軸部を中心に回転して第一操作片と第二操作片とも接近する方向に移動し第一爪部と第二爪部とが互いに接近する方向に移動する。したがって、簡単な操作で第一爪部と第二爪部とが互いに接近する方向に移動させることができる。
【００１７】
第３の外壁取付施工具によると、第一当接部がサイディング材の上端に当接し、第二当接部がサイディング材の下端に当接するときに、第一操作グリップ及び第二操作グリップが、互いに当接するので、サイディング材を保持しているときに第一操作グリップ及び第二操作グリップを片手で把持することができ、もう一方の手を他の作業に用いることができる。
【００１８】
第４の外壁取付施工具によると、第一爪部よりも上方で、且つ、サイディング材が保持される位置よりも屋外側に作業者が把持する支持グリップが形成されているので、作業者は一方の手で、第一操作グリップ及び第二操作グリップを把持するとともに、他方の他方の手で、この支持グリップを把持することで、より安定的にサイディング材を把持して、当該サイディング材の取付作業をすることができる。
【００１９】
第５の外壁取付施工具によると、サイディング材は、上端の屋内面側が上方に突出する上端突出部を形成するとともに、下端の屋外面側が下方に突出して下端突出部を形成している。そして、上下に並べられるサイディング材は、下側のサイディング材の上端突出部と上側のサイディング材の下端突出部とが互いに重なり合う収まりである。そして外壁取付施工具は、第一当接板のサイディング材の厚さ方向の長さは、サイディング材の厚さよりも長く、第二当接板の前記サイディング材の厚さ方向の長さは、サイディング材の厚さよりも短く、且つ下端突出部の厚さよりも長いので、第一爪部は、サイディング材の上端全体に引っ掛かるとともに、第二爪部はサイディング材の下端突出部に引っ掛かって当該サイディング材を保持するので、サイディング材を下地材に取付ける際に第二爪部が、既に取り付けられている下側のサイディング材と干渉することなく取り付けることができる。
【図面の簡単な説明】
【００２０】
【図１】接近状態の外壁取付施工具の外観構成を説明する側面図及び正面図。
【図２】離間状態の外壁取付施工具の外観構成を説明する側面図及び正面図。
【図３】サイディング材及び離間状態の外壁取付施工具の動作及び寸法を表す図。
【図４】図３のＩ−Ｉ線断面図。
【図５】接近状態の外壁取付施工具の動作及び寸法を表す図。
【図６】図５のＩＩ−ＩＩ線断面図。
【図７】サイディング材を外壁取付施工具が保持する前の状態を示す図。
【図８】サイディング材を外壁取付施工具が保持した状態を示す図。
【図９】外壁取付施工具がサイディング材を保持した状態で、当該サイディング材を外壁下地材の取り付け位置に運ぶ状態を示す図。
【図１０】サイディング材の下端を外壁下地材に固定された外壁取付金具に取り付ける状態を示す図。
【図１１】外壁取付施工具を離間状態にして、サイディング材の上端から第一爪部が離れた状態を示す図。
【図１２】外壁取付施工具がサイディング材から離れた状態を示す図。
【図１３】外壁取付施工具がサイディング材を保持した状態で、当該サイディング材を外壁下地材の取り付け位置に運ぶ状態を示すパース図。
【図１４】外壁取付施工具を接近状態に維持するストッパを設ける例を説明する図。
【発明を実施するための形態】
【００２１】
以下、本発明に係る外壁取付施工具１の最良の実施形態について、各図を参照しつつ説明する。外壁取付施工具１は、外壁下地材２にサイディング材３を取り付ける際に、当該サイディング材３を持ち上げて、当該サイディング材３を外壁下地材２の取り付け位置に保持し、サイディング材３を外壁下地材２に取付ける施工具である。サイディング材３は、図３及び図１２に示すように、上端の屋内面側が上方に突出する上端突出部３１を形成するとともに、下端の屋外面側が下方に突出して下端突出部３２を形成しており、上端突出部３１と下端突出部３２とが互いに重なり合う収まりであり、下端の下端突出部３２の屋内側には係止溝３３が形成されている。
【００２２】
まず、外壁取付施工具１の構成について主に図１及び図２を参照しつつ説明する。外壁取付施工具１は、図１、図２、及び図８等に示すように、サイディング材３の上端に引っ掛けられる第一爪部４と、第一爪部４が固定された第一枠体５と、サイディング材３の下端に引っ掛けられる第二爪部６と、第二爪部６が固定された第二枠体７と、第一爪部４と第二爪部６とが互いに接近する方向及び離間する方向に移動させる操作部８と、第一枠体５に設けられた支持グリップ９とを備えている。
【００２３】
第一爪部４は、第一枠体５の上端からサイディング材３の屋内面側に向かって突出し、サイディング材３の上端に当接する第一当接板４１と、第一当接板４１のサイディング材３の屋内面側の端部からサイディング材３の下端方向に突出する第一掛止部４２とを有している。図３に示すように、第一当接板４１の第一枠体５からの突出長さＦは、サイディング材３の厚さＢよりも長く形成されている。例えばサイディング材３の厚さＢは１８．５ｍｍであり、第一当接板４１の第一枠体５からの突出長さＦは２０ｍｍである。なお、第一当接板４１及び第一掛止部４２のサイディング材３の幅方向の長さは、例えば２４０ｍｍである。第一爪部４はアルミニウムにより形成されているが、例えば、サイディング材３に当接する面には、滑り止めやサイディング材３の保護のためにラバーや軟質樹脂を貼付してもよい。
【００２４】
第一枠体５は、上端に第一爪部４が形成されアルミニウム製の不等辺アングルからなる上枠５１と、溝形アルミニウム製の左右の内側枠５２と、をネジ固定した下辺が開いた矩形状の枠体である。図３から図６に示すように、第一枠体５の左右それぞれの内側枠５２には高さ方向に長い長孔５３が上下２箇所ずつ設けられている。長孔５３の長さは例えば４０ｍｍである。第一枠体５は幅方向が２４０ｍｍで、高さ方向が３００ｍｍに形成されている。
【００２５】
第二爪部６は、第二枠体７の下端からサイディング材３の屋内面側に向かって突出し、サイディング材３の下端に当接する第二当接板６１と、第二当接板６１のサイディング材３の屋内面側の端部からサイディング材３の上端方向に突出する第二掛止部６２とを有している。図３に示すように、第二当接板６１の第二枠体７からの突出長さＧは、サイディング材３の厚さＢよりも短く、且つ、サイディング材３の下端突出部３２の厚さＣよりも長く形成されている。例えばサイディング材３の厚さＢは１８．５ｍｍであり、下端突出部３２の厚さＣは９．５ｍｍであり、第二当接板６１の第二枠体７からの突出長さＧは１０ｍｍである。なお、第二当接板６１及び第二掛止部６２のサイディング材３の幅方向の長さは、例えば３００ｍｍである。第二爪部６はアルミニウムにより形成されているが、例えば、サイディング材３に当接する面には、滑り止めやサイディング材３の保護のためにラバーや軟質樹脂を貼付してもよい。
【００２６】
第二枠体７は、下端に第二爪部６が形成されアルミニウム製の不等辺アングルからなる下枠７１と、溝形アルミニウム製の左右の外側枠７２と、をネジ固定した上辺が開いた矩形状の枠体である。図３から図６に示すように、第二枠体７の左右それぞれの外側枠７２には高さ方向に２箇所づつの貫通孔７３が形成されている。第一枠体５の内側枠５２の長孔５３にボルト７４を挿通させて、当該ボルト７４をさらにこの外側枠７２の貫通孔７３に挿通させてナット７５で固定している。これによって第二枠体７及びボルト７４が第一枠体５の内側枠５２に形成された長孔５３に沿って摺動することができる。第二枠体７は幅方向が３００ｍｍで、高さ方向が３００ｍｍに形成されている。
【００２７】
操作部８は、一端が第一枠体５の左右の内側枠５２にそれぞれ第一の回転軸８１によって揺動自在に連結される一対の第一操作片８２と、これら一対の第一操作片８２の他端の間に架設され作業者が把持する第一操作グリップ８３と、一端が第二枠体７の左右の外側枠７２にそれぞれ第二の回転軸８４によって揺動自在に連結される一対の第二操作片８５と、これら一対の第二操作片８５の他端の間に架設され作業者が把持する第二操作グリップ８６と、第一操作片８２及び第二操作片８５の中間部を互いに回転可能に接続する軸部８７と、を有している。
【００２８】
第一枠体５の上端には第一爪部４が形成されているので、第一操作片８２はその一端が第一枠体５を介して第一爪部４に連結されており、第二枠体７の下端には第二爪部６が形成されているので、第二操作片８５はその一端が第二枠体７を介して第二爪部６に連結されている。第一操作片８２及び第二操作片８５はそれぞれ平板状に形成されており、第一操作片８２が内側枠５２の外側面に揺動自在に連結されるとともに、第二操作片８５は外側枠７２の内側面に揺動自在に連結されており、一対の第一操作片８２及び一対の第二操作片８５の中間部に１本の軸部８７が貫通している。第一操作片８２の一端を連結する第一の回転軸８１は第二操作片８５の一端を連結する第二の回転軸８４よりも下方に形成されており、第一操作片８２の他端に連結される第一操作グリップ８３は第二操作片８５の他端に連結される第二操作グリップ８６よりも上方に形成されており、第一操作片８２及び第二操作片８５は軸部８７で交差している。
【００２９】
また、支持グリップ９は、第一枠体５の上枠５１から上方に延びる一対のアーム９１と、一対のアーム９１の間に架設される把持部９２とを有しており、把持部９２は、例えばアルミニウム製のパイプの外周を筒状の発泡樹脂で覆って形成している。
【００３０】
次に、以上のように形成される外壁取付施工具１の動作について、主に図３から図６を参照しつつ説明する。第一操作グリップ８３及び第二操作グリップ８６を互いに離間させると、図３に示すように第一操作片８２及び第二操作片８５が軸部８７を中心として、当該操作グリップ８３，８６側の端部同士を離間させる方向に回転する。そして、この回転によって、第一操作片８２の第一枠体５に連結する第一の回転軸８１側の端部及び第二操作片８５の第二枠体７に連結する第二の回転軸８４側の端部も互いに離間する方向に移動する。
【００３１】
そして、第一操作片８２及び第二操作片８５の端部に連結されている第一枠体５及び第二枠体７も第一枠体５の上枠５１と第二枠体７の下枠７１とが離れる方向に移動する。図４に示すように、第一枠体５と第二枠体７とは、第二枠体７の外側枠７２の貫通孔７３に固定され、第一枠体５の内側枠５２の長孔５３に挿通するボルト７４によって接続されており、第二枠体７が第一枠体５の内側枠５２に形成された長孔５３に沿って摺動する用に形成されているので、第一枠体５及び第二枠体７は、第一操作片８２及び第二操作片８５の端部の互いに離間する方向への移動に伴って移動する。そして、第一枠体５の上枠５１には第一爪部４が形成されており、第二枠体７の下枠７１には第二爪部６が形成されているので、第一枠体５と第二枠体７との移動に伴って、第一爪部４及び第二爪部６も互いに離間する方向に移動する。なお、以下において、第一爪部４と第二爪部６とが互いに離間する外壁取付施工具１の状態を「離間状態」という。
【００３２】
以上のように、第一操作グリップ８３及び第二操作グリップ８６を互いに離間する方向に移動させると、第一爪部４及び第二爪部６も互いに離間する方向に移動する。このように、離間状態のときに、図３に示すように、第一爪部４の第一掛止部４２の先端と第二爪部６の第二掛止部６２の先端との間の長さＥ１は、サイディング材３の高さ方向の長さＡよりも長くなる。例えば、離間状態のときの第一掛止部４２の先端と第二掛止部６２の先端との間の長さＥ１は３３０ｍｍであり、サイディング材３の高さ方向の長さＡは３２０ｍｍである。また、離間状態のときの第一当接板４１と第二当接板６１との間の長さＤ１は、例えば３４５ｍｍである。したがって、離間状態の外壁取付施工具１によると、サイディング材３を第一掛止部４２及び第二掛止部６２の間を通して、第一当接板４１と第二当接板６１との間に配置することができる。
【００３３】
次に、第一操作グリップ８３及び第二操作グリップ８６を互いに接近させると、図５に示すように第一操作片８２及び第二操作片８５が軸部８７を中心として、当該操作グリップ８３，８６側の端部同士を接近させる方向に回転する。このとき、第一操作グリップ８３及び第二操作グリップ８６は互いに当接する。そして第一操作片８２と第二操作片８５との軸部８７を中心とした回転によって、第一操作片８２の第一枠体５に連結する第一の回転軸８１側の端部及び第二操作片８５の第二枠体７に連結する第二の回転軸８４側の端部も互いに接近する方向に移動する。
【００３４】
そして、第一操作片８２及び第二操作片８５の端部に連結されている第一枠体５及び第二枠体７も第一枠体５の上枠５１と第二枠体７の下枠７１とが互いに接近する方向に移動する。図６に示すように、第一枠体５と第二枠体７とは、第二枠体７の外側枠７２の貫通孔７３に固定され、第一枠体５の内側枠５２の長孔５３に挿通するボルト７４によって接続されており、第二枠体７が第一枠体５の内側枠５２に形成された長孔５３に沿って摺動する用に形成されているので、第一枠体５及び第二枠体７は、第一操作片８２及び第二操作片８５の端部が互いに接近する方向への移動することに伴って移動する。そして、第一枠体５の上枠５１には第一爪部４が形成されており、第二枠体７の下枠７１には第二爪部６が形成されているので、第一枠体５と第二枠体７との移動に伴って、第一爪部４及び第二爪部６も互いに接近する方向に移動する。なお、以下において、第一爪部４と第二爪部６とが互いに接近する外壁取付施工具１の状態を「接近状態」という。
【００３５】
以上のように、第一操作グリップ８３及び第二操作グリップ８６を互いに接近する方向に移動させると、第一爪部４及び第二爪部６も互いに接近する方向に移動する。このように、接近状態のときに、図５に示すように、第一爪部４の第一掛止部４２の先端と第二爪部６の第二掛止部６２の先端との間の長さＥ２は、図３に示すサイディング材３の高さ方向の長さＡよりも長くなる。例えば、接近状態のときの第一掛止部４２の先端と第二掛止部６２の先端との間の長さＥ１は３０５ｍｍであり、サイディング材３の高さ方向の長さＡは前述の通り３２０ｍｍである。また、接近状態のときの第一当接板４１と第二当接板６１との間の長さＤ１は、例えば３２０ｍｍである。
【００３６】
したがって、サイディング材３を、離間状態の外壁取付施工具１の第一掛止部４２及び第二掛止部６２の間を通して、第一当接板４１と第二当接板６１との間に配置した後、第一操作グリップ８３及び第二操作グリップ８６を互いに接近する方向に移動させて外壁取付施工具１を接近状態にすると、サイディング材３の上端に第一当接板４１が当接し、サイディング材３の下端に第二当接板６１が当接する。そして、接近状態のときの第一掛止部４２の先端と第二掛止部６２の先端との間の長さＥ１はサイディング材３の高さ方向の長さＡよりも短いので、これら第一掛止部４２と第二掛止部６２とによって、接近状態の外壁取付施工具１からサイディング材３が脱落することを防止できる。
【００３７】
次に、外壁取付施工具１を用いてサイディング材３を外壁下地材２に取り付ける工程について、図７から図１２を参照しつつ説明する。まず、図７に示すように、屋外面側が上を向くようにして複数枚のサイディング材３が積み上げられている。作業者は、外壁取付施工具１の第一操作グリップ８３と第二操作グリップ８６とが互いに離れるように動かして、外壁取付施工具１を離間状態にする。そして、最も上に載置されているサイディング材３を、離間状態の外壁取付施工具１の第一掛止部４２及び第二掛止部６２の間を通して、第一当接板４１と第二当接板６１との間に配置する。
【００３８】
そして、図８に示すように、第一操作グリップ８３及び第二操作グリップ８６を互いに接近する方向に移動させて外壁取付施工具１を接近状態にすると、サイディング材３の上端に第一当接板４１が当接し、サイディング材３の下端に第二当接板６１が当接し、第一掛止部４２がサイディング材３の上端に引っ掛かり、第二掛止部６２がサイディング材３の下端に引っ掛かって、サイディング材３を保持することができる。
【００３９】
そして、図１３に示すように、サイディング材３を保持した状態のまま第一操作グリップ８３と第二操作グリップ８６とが互いに当接した状態を維持するように、作業者は一方の手で第一操作グリップ８３及び第二操作グリップ８６を握る。さらに、作業者は他方の手で支持グリップ９の把持部９２を握る。そして、作業者は支持グリップ９が上になるように外壁取付施工具１を持ち上げて、サイディング材３を保持した外壁取付施工具１を外壁下地材２の当該サイディング材３を取り付ける位置に移動させる。
【００４０】
なお、本実施形態においては、図１３に示すように、作業者が第一操作グリップ８３と第二操作グリップ８６とを一方の手で握り続けることにより外壁取付施工具１がサイディング材３を保持し続けるものであるが、外壁取付施工具に第一操作グリップ８３と第二操作グリップ８６とが互いに当接した状態で維持可能なストッパ１６を設けても良い。ストッパ１６は例えば、図１４に示すように、第一操作片８２に揺動自在に設けられるフック金具１７と、第二操作片８５に形成され、当該フック金具を引っ掛ける係止金具１８とにより構成されるものが挙げられる。なお、ストッパ１６の形状は図１４に示すように、これに限定されるものではなく、外壁取付施工具１を接近状態に維持する機能を有するものであれば、どのような構成であってもよい。
【００４１】
図９に示すように、サイディング材３は下から順に外壁下地材２に取り付けられている。外壁下地材２には外壁取付金具１０がビス１１で固定されている。外壁取付金具１０は、外壁下地材２に固定されるベースレート１２と、ベースプレート１２から水平な屋外方向に突出する水平片１３と、水平片１３の先端に上下に傾斜するように枝分かれして設けられた上側傾斜片１４と下側傾斜片１５とから構成されている。
【００４２】
サイディング材３を保持した状態の外壁取付施工具１を外壁下地材２の当該サイディング材３を取り付ける位置まで運んで、図１０に示すように、作業者はサイディング材３の下端の係止溝３３に外壁取付金具１０の上側傾斜片１４が挿入されるように、外壁取付施工具１を動かして、サイディング材３の下端を外壁取付金具１０のベースプレート１２と上側傾斜片１４とで挟持させる。
【００４３】
その後、図示しないが例えばハンマーなどでサイディング材３の上端を軽くたたいて、サイディング材３の下端を完全に外壁取付金具１０に固定し、次に、作業者は図１１に示すように、外壁取付施工具１の第一操作グリップ８３と第二操作グリップ８６とを互いに離間する方向に移動させる。第一操作グリップ８３と第二操作グリップ８６とが互いに離間する方向に移動し外壁取付施工具１が離間状態になると、第一爪部４と第二爪部６との間の距離Ｄ１が長くなるので、第一当接板４１がサイディング材３の上端から離れ、第一掛止部４２と第二掛止部６２との間の長さＥ１がサイディング材３の高さ方向の長さＡよりも長くなる。
【００４４】
そして、図１２に示すように、サイディング材３から外壁取付施工具１を外す。このとき外壁取付施工具１の第二爪部６は、サイディング材３の下端突出部３２にのみ引っ掛かっているので、下側のサイディング材３の上端に干渉することなく取り外すことができる。以上のようにしてサイディング材３を外壁下地材２に取り付けると、図示しないが、新たな外壁取付金具１０のベースプレート１２と下側傾斜片１５との間にサイディング材３の上端突出部３１を挟みこんで、当該外壁取付金具１０のベースプレート１２を外壁下地材２にビス１１で固定して、サイディング材３の上端も外壁下地材２に固定する。そして、サイディング材３を更に上に取り付けていき外壁を完成させる。
【００４５】
以上のように本実施形態の外壁取付施工具１によると、サイディング材３を保持し、外壁取付施工具１を接近状態にすると、第一爪部４と第二爪部６との間にサイディング材３が挟み込まれ、しかも第一掛止部４２と第二掛止部６２によってサイディング材３は脱落しないので、サイディング材３を確実に保持することができる。そして、サイディング材３を取り付ける位置に固定した後は、第一操作グリップ８３及び第二操作グリップ８６を離間させて、第一爪部４と第二爪部６とを互いに離間する方向に移動させることで、簡単にサイディング材３から外壁取付施工具１を外すことができる。
【００４６】
なお、本発明の実施の形態は上述の形態に限ることなく、本発明の思想の範囲を逸脱しない範囲で適宜変更することができることは云うまでもない。
【産業上の利用可能性】
【００４７】
本発明に係る外壁取付施工具１は、例えば住宅の外壁を建築する際に好適に用いることができる。
【符号の説明】
【００４８】
１      外壁取付施工具
３      サイディング材
４      第一爪部
６      第二爪部
８      操作部
９      支持グリップ
３１    上端突出部
３２    下端突出部
４１    第一当接板
４２    第一掛止部
６１    第二当接板
６２    第二掛止部
８２    第一操作片
８３    第一操作グリップ
８５    第二操作片
８６    第二操作グリップ
８７    軸部
【図１】
2018009310.tif 000003
【図２】
2018009310.tif 000004
【図３】
2018009310.tif 000005
【図４】
2018009310.tif 000006
【図５】
2018009310.tif 000007
【図６】
2018009310.tif 000008
【図７】
2018009310.tif 000009
【図８】
2018009310.tif 000010
【図９】
2018009310.tif 000011
【図１０】
2018009310.tif 000012
【図１１】
2018009310.tif 000013
【図１２】
2018009310.tif 000014
【図１３】
2018009310.tif 000015
【図１４】
2018009310.tif 000016
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
サイディング材の上端に当接する第一当接板と、前記サイディング材の屋内面側の前記第一当接板の端部から前記サイディング材の下端方向に突出する第一掛止部と、を有する第一爪部と、
前記サイディング材の下端に当接する第二当接板と、前記サイディング材の屋内面側の前記第二当接板の端部から前記サイディング材の上端方向に突出する第二掛止部と、を有する第二爪部と、
前記第一爪部と前記第二爪部との間の距離が前記サイディング材の高さ方向の長さより長い位置から短い位置までの範囲で、当該第一爪部及び当該第二爪部を接近方向及び離間方向に移動させる操作部とを備え、
前記操作部は、
一端が前記第一爪部に連結される第一操作片と、
前記第一操作片の他端に固定され、作業者が把持する第一操作グリップと、
一端が前記第二爪部に連結される第二操作片と、
前記第二操作片の他端に固定され、作業者が把持する第二操作グリップと、
前記第一操作片及び前記第二操作片の中間部を互いに揺動可能に接続する軸部と、を有することを特徴とする外壁取付施工具。
【請求項２】
前記第一当接板が前記サイディング材の上端に当接し、前記第二当接板が前記サイディング材の下端に当接するときに、前記第一操作グリップ及び前記第二操作グリップが、互いに当接することを特徴とする請求項１に記載の外壁取付施工具。
【請求項３】
前記第一爪部よりも上方で、且つ、前記サイディング材が保持される位置よりも屋外側に作業者が把持する支持グリップが形成されることを特徴とする請求項２に記載の外壁取付施工具。
【請求項４】
前記サイディング材は、上端の屋内面側が上方に突出する上端突出部を形成するとともに、下端の屋外面側が下方に突出して下端突出部を形成しており、前記上端突出部と前記下端突出部とが互いに重なり合う収まりであり、
前記第一当接板の前記サイディング材の厚さ方向の長さは、前記サイディング材の厚さよりも長く、
前記第二当接板の前記サイディング材の厚さ方向の長さは、前記サイディング材の厚さよりも短く、且つ前記下端突出部の厚さよりも長いことを特徴とする請求項１から請求項３のいずれかに記載の外壁取付施工具。
【手続補正２】
【補正対象書類名】明細書
【補正対象項目名】００１０
【補正方法】変更
【補正の内容】
【００１０】
本発明の第１の外壁取付施工具は、サイディング材の上端に当接する第一当接板と、前記サイディング材の屋内面側の前記第一当接板の端部から前記サイディング材の下端方向に突出する第一掛止部と、を有する第一爪部と、前記サイディング材の下端に当接する第二当接板と、前記サイディング材の屋内面側の前記第二当接板の端部から前記サイディング材の上端方向に突出する第二掛止部と、を有する第二爪部と、前記第一爪部と前記第二爪部とを所定の範囲で接近方向及び離間方向に移動させる操作部とを備え、前記操作部は、一端が前記第一爪部に連結される第一操作片と、前記第一操作片の他端に固定され、作業者が把持する第一操作グリップと、一端が前記第二爪部に連結される第二操作片と、前記第二操作片の他端に固定され、作業者が把持する第二操作グリップと、前記第一操作片及び前記第二操作片の中間部を互いに揺動可能に接続する軸部と、を有することを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第２の外壁取付施工具は、前記第一当接板が前記サイディング材の上端に当接し、前記第二当接板が前記サイディング材の下端に当接するときに、前記第一操作グリップ及び前記第二操作グリップが、互いに当接することを特徴としている。
【手続補正５】
【補正対象書類名】明細書
【補正対象項目名】００１３
【補正方法】変更
【補正の内容】
【００１３】
第３の外壁取付施工具は、前記第一爪部よりも上方で、且つ、前記サイディング材が保持される位置よりも屋外側に作業者が把持する支持グリップが形成されることを特徴としている。
【手続補正６】
【補正対象書類名】明細書
【補正対象項目名】００１４
【補正方法】変更
【補正の内容】
【００１４】
第４の外壁取付施工具は、上端の屋内面側が上方に突出する上端突出部を形成するとともに、下端の屋外面側が下方に突出して下端突出部を形成しており、前記上端突出部と前記下端突出部とが互いに重なり合う収まりの外壁取付施工具であって、前記第一当接板の前記サイディング材の厚さ方向の長さは、前記サイディング材の厚さよりも長く、前記第二当接板の前記サイディング材の厚さ方向の長さは、前記サイディング材の厚さよりも短く、且つ前記下端突出部の厚さよりも長いことを特徴としている。
【手続補正７】
【補正対象書類名】明細書
【補正対象項目名】００１５
【補正方法】変更
【補正の内容】
【００１５】
本発明の第１の外壁取付施工具によると、操作部の操作によって、第一爪部と第二爪部との間の距離がサイディング材の高さ方向の長さより長い位置から短い位置までの範囲で、第一爪部及び第二爪部を接近方向及び離間方向に移動させるので、離間方向に移動させた状態で第一爪部と第二爪部との間にサイディング材を配置し、その後接近方向に移動させることで第一爪部の当接板と第二爪部の当接板とでサイディング材を確実に挟持することができ、このとき第一掛止部と第二掛止部との間の長さがサイディング材の長さよりも短くなるのでサイディング材を確実に保持することができる。そして、サイディング材を取り付ける位置に固定した後は、操作部を操作して第一爪部と第二爪部とを互いに離間する方向に移動させることで、簡単にサイディング材から外壁取付施工具を外すことができる。また、操作部は、一端が第一爪部に連結される第一操作片と、第一操作片の他端に固定され、作業者が把持する第一操作グリップと、一端が第二爪部に連結される第二操作片と、第二操作片の他端に固定され、作業者が把持する第二操作グリップと、第一操作片及び第二操作片の中間部を互いに揺動可能に接続する軸部と、を有しているので、第一操作グリップと第二操作グリップとを互いに接近する方向に移動させることで、軸部を中心に回転して第一操作片と第二操作片とも接近する方向に移動し第一爪部と第二爪部とが互いに接近する方向に移動する。したがって、簡単な操作で第一爪部と第二爪部とが互いに接近する方向に移動させることができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
第２の外壁取付施工具によると、第一当接板がサイディング材の上端に当接し、第二当接板がサイディング材の下端に当接するときに、第一操作グリップ及び第二操作グリップが、互いに当接するので、サイディング材を保持しているときに第一操作グリップ及び第二操作グリップを片手で把持することができ、もう一方の手を他の作業に用いることができる。
【手続補正１０】
【補正対象書類名】明細書
【補正対象項目名】００１８
【補正方法】変更
【補正の内容】
【００１８】
第３の外壁取付施工具によると、第一爪部よりも上方で、且つ、サイディング材が保持される位置よりも屋外側に作業者が把持する支持グリップが形成されているので、作業者は一方の手で、第一操作グリップ及び第二操作グリップを把持するとともに、他方の手で、この支持グリップを把持することで、より安定的にサイディング材を把持して、当該サイディング材の取付作業をすることができる。
【手続補正１１】
【補正対象書類名】明細書
【補正対象項目名】００１９
【補正方法】変更
【補正の内容】
【００１９】
第４の外壁取付施工具によると、サイディング材は、上端の屋内面側が上方に突出する上端突出部を形成するとともに、下端の屋外面側が下方に突出して下端突出部を形成している。そして、上下に並べられるサイディング材は、下側のサイディング材の上端突出部と上側のサイディング材の下端突出部とが互いに重なり合う収まりである。そして外壁取付施工具は、第一当接板のサイディング材の厚さ方向の長さは、サイディング材の厚さよりも長く、第二当接板の前記サイディング材の厚さ方向の長さは、サイディング材の厚さよりも短く、且つ下端突出部の厚さよりも長いので、第一爪部は、サイディング材の上端全体に引っ掛かるとともに、第二爪部はサイディング材の下端突出部に引っ掛かって当該サイディング材を保持するので、サイディング材を下地材に取付ける際に第二爪部が、既に取り付けられている下側のサイディング材と干渉することなく取り付けることができる。